(57)【特許請求の範囲】
【請求項１】
磁気記録層と書き換え可能な画像形成領域とを有するカードの搬送路と、カードを前記搬送路内で移動させる搬送手段と、前記搬送路内に存在するカードの位置を検出するカード位置検出手段と、カードに可視画像を形成する画像形成手段と、カードに形成された可視画像を消去する画像消去手段と、前記磁気記録層に対してデータの読み取り及び書き込みを行う磁気ライト・リード手段と、前記カードの磁気記録層及び画像形成領域に記録するデータを入力するためのキー入力部と、前記データを前記カードの磁気記録層及び画像形成領域に記録するために前記搬送手段、前記画像形成手段、前記画像消去手段及び前記磁気ライト・リード手段を制御する制御部と、を備え、前記制御部は、前記搬送路にカードを外部から取り込んだことを検知して、前記搬送手段による前記カードの搬送中に、前記画像消去手段を前記画像形成領域に記録されている画像の消去に必要な第一の温度よりも低い第二の温度まで加熱させるとともに、前記磁気ライト・リード手段により前記磁気記録層に記録されている第一のデータを読み取り、前記キー入力部より入力された第二のデータを前記磁気ライト・リード手段により前記磁気記録層に記録した後、前記磁気記録層のデータの読み取りを行い、その読み取りを行った第三のデータが前記第二のデータと一致した場合に、前記画像消去手段の加熱温度を前記第二の温度から前記第一の温度へと引き上げることを特徴とするカードリーダ。
【請求項２】
前記第一のデータが不正なデータだった場合、前記制御部は前記画像消去手段への通電を停止することを特徴とする請求項１記載のカードリーダ。
【請求項３】
前記第一のデータが読み取れなかった場合、前記制御部は前記画像消去手段への通電を停止することを特徴とする請求項１記載のカードリーダ。
【請求項４】
前記カードが前記搬送路内で搬送不良の場合、前記制御部は前記画像消去手段への通電を停止することを特徴とする請求項１記載のカードリーダ。
【請求項５】
前記キー入力部による第二のデータの入力が所定の時間内に完了しない場合、前記制御部は前記画像消去手段への通電を停止することを特徴とする請求項１記載のカードリーダ。
【請求項６】
前記第三のデータと前記第二のデータとが一致しない場合、前記制御部は前記画像消去手段への通電を停止することを特徴とする請求項１記載のカードリーダ。
【発明の詳細な説明】
【０００１】
【発明の属する技術分野】
本発明は、カード等の情報記録媒体に、可視画像を形成、消去するカードリーダに関するものである。
【０００２】
【従来の技術】
従来から、カードはその携帯性に利便なことから、種々の用途で使用され、その種類も様々である。例えば、テレホンカード、乗車券等のプリペイドカード、定期券、回数券、ポイントカード、更に、銀行カード、キャッシュカード、クレジットカード、運転免許証等のＩＤカード、会員カード、身分証明書等が挙げられる。
【０００３】
また、これらのカードは、個人識別情報や残高、累積ポイント等の情報を記録・保持するため、磁気記録層、光記録層、或いはＩＣメモリー等に代表されるメモリ部を有している。これらのメモリ部に記録された情報は、専用のカードリーダで再生されるが、磁気記録層、光記録層、ＩＣメモリーに記録された情報は不可視情報であるので、カードの持ち主がその記録情報を直接確認する事はできない。
【０００４】
そこで従来から、これら不可視の記録情報を可視的に表示する事がなされている。例えば、インクジェット、感熱転写、レーザービームプリンタ等の様々な印字手段によってカード表面に情報を印字したり、カードに予め感熱発色層を形成し感熱記録する等の追記型の表示がなされている。追記型の表示方法では、カード表面の表示領域の制約で、より多くの情報を表示できない。そこで最近では、書換可能な表示方法が採用されている。例えば、カードに液晶表示体を形成する場合や、加熱によって、繰り返し印字・消去が可能である熱可逆的材料を使用して表示する事もなされている。
【０００５】
更に、これらのカードの用途、情報記録方式、表示方法が様々であることに加えて、カード基材を構成する材料や、磁気ストライプ、ＩＣチップ等のメモリ部の位置、カードの大きさや厚み等の規格等も多種多様となっている。例えば、カード材料としては、ポリ塩化ビニル（ＰＶＣ）、ポリ塩化酢酸ビニル（ＰＶＣＡ）、ポリエチレンテレフタレート（ＰＥＴ）、ポリカーボネイト（ＰＣ）、生分解性材料等のプラスチックや紙、合成紙が使用されている。また、全ての識別カードに関するＪＩＳＸ６３０１や外部端子付きＩＣカードに関するＪＩＳＸ６３０３の規定では、厚さが０．７６ｍｍ±０．０８ｍｍである。一般には、０．２８ｍｍ厚の塩化ビニルシート２枚を積層し、この表裏に０．１ｍｍ厚の塩化ビニルシートを貼合わせた構成が知られている。更に、カードによっては、口座番号、有効期限や所有者氏名が、カード基材を物理的に隆起させて形成される、いわゆるエンボス加工も施されている。このようなカードばかりではなく、テレホンカードに代表されるプリペイドカード等は、カード厚みが０．２０〜０．２８ｍｍ程度の薄手のカードである。
【０００６】
このように現在カードは多種多様なものとなっている。そして、これらのカードから情報を読み取ったり（リード）、或いは、カードに対して情報を記録したり（ライト）、或いは、カードに表示する情報を書き換えたりする機能を有する装置がカードリーダである。
【０００７】
ところで、上述したように、カードの磁気記録層、光記録層、ＩＣメモリー等のメモリ部に記録・保持された個人識別情報や残高、累積ポイント等の不可視の記録情報を含め、その他種々の情報を可視的に表示する方法として、カードの表示部を繰り返し印字・消去が可能な熱可逆性材料によるリライト層で構成したカード（リライトカード）を用いて、このカードにサーマルヘッド等で印字を行って表示する方法がある。
【０００８】
ここで、従来のカードリーダの一例を挙げる。図３は従来のカードリーダを示す模式側断面図であり、以下図３を用いて説明する。
【０００９】
図３において、１はカードであり、２はカード１が挿入される挿入口、３はカード１が搬送される搬送路、４はカード１を搬送する搬送ローラである。５はデータ記録再生手段としての磁気ヘッド、６は磁気ヘッド５に対してカード１を押圧する磁気ヘッド押圧ローラである。また、７は画像形成手段としての印字ヘッド、８は画像消去手段としての消去ヘッドであり、９、１０はそれぞれ印字ヘッド７、消去ヘッド８に対向するプラテンローラである。更に、１１は発光素子、１２は受光素子であり、カード位置検出手段を構成している。
【００１０】
まず、従来のカードリーダの装置構成を簡単に説明する。
【００１１】
カード１には、熱可逆性材料等を設けたリライトカードが用いられ、磁気記録層も有している。リライトカードは、例えば所定の温度以上に加熱することで、可視的な像などを形成し（印字）、所定の温度範囲内にカード１の温度を所定時間加熱することで、その形成された像などを不可視にすること（消去）が可能な熱可逆性材料によるリライト層を有した構成となっている。なお、カード１は、図３中上側にリライト層を、図３中下側に磁気記録層をそれぞれ有している。
【００１２】
カード１は挿入口２から挿入され、挿入口２の近傍に設けられたカード位置検出手段としての発光素子１１及び受光素子１２によって、カード１が挿入された事が検出される。
【００１３】
そして、カード１は、搬送路３を複数の搬送ローラ４により搬送される。搬送ローラ４はローラ対を構成し、カード１を挟み込んでカード１を引き込み、送り出す動作を行うものであり、ローラ対の内、一方のローラが駆動し、他方のローラが連れ回るように構成されている。
【００１４】
また、磁気ヘッド５は、カード１に磁気的な情報を記録か又は再生する動作の少なくとも一方の動作を行う。この時、カード１は、磁気ヘッド５及びこれに対向する磁気ヘッド押圧ローラ６によって挟み込まれ、カード１は一定速度で搬送され、カード１の磁気記録層に磁気情報の記録及び／又は再生がなされる。
【００１５】
印字ヘッド７は、カード１に設けられたリライト層を加熱して、可視的な画像を形成する。印字ヘッド７は、発熱抵抗体素子が一画素を形成し、この発熱抵抗体素子群よりなる、いわゆるサーマルヘッドが用いられる。
【００１６】
また、消去ヘッド８は、加熱によって、カード１に設けられたリライト層に形成された画像を消去するものであり、基板上に発熱抵抗体を設け、その発熱抵抗体を覆うようにガラスやシリカ等の保護膜を設けた構成の厚膜ヒータ等が用いられる。
【００１７】
また、プラテンローラ９，１０は、印字ヘッド７、消去ヘッド８に対向し、カード１を挟み込み、カード１を搬送しながら、印字・消去が行われる。
【００１８】
以上のように、図３を用いて従来のカードリーダの装置構成を説明したが、次に、この従来のカードリーダの印字・消去の処理手順を図４、図５及び図３を用いて説明する。なお、図４は従来の印字・消去の処理手順を示すフローチャートであり、図５は、従来のカード処理開始から完了までの消去ヘッドの温度変化を示すグラフである。そして、図４のフローチャートによって、従来のカードリーダの印字・消去の処理手順（１）〜（８）を順に説明する。
【００１９】
（１）カード挿入検知
まず、挿入口２からカード１が挿入されると、制御部（図示せず）は、挿入口２の近傍に配置された発光素子１１と受光素子１２との組み合わせからなるカード位置検出手段により、カード１が挿入されたことを検知し、カード１を搬送ローラ４で、カードリーダの後端部側（図３中右側方向であり、以下、後端部側と言う）へ搬送する。
【００２０】
（２）磁気データリード
そして、カード１が磁気ヘッド５の上を通過すると、カード１の磁気記録層に記録された磁気データが磁気ヘッド５で読み取られる。
【００２１】
（３）キー入力待ち
そして、読み取った磁気データに応じた次の処理をカードリーダに設けられたディスプレイ部（図示せず）に表示する。この時、カードリーダはキー入力待ち状態にある。そして、操作員は、そのディスプレイ部の表示に従い、カードリーダに設けられたキーパッド（図示せず）から新たなデータを入力する。
【００２２】
（４）磁気データライト・リード
データの入力が正常に完了すると、カード１を逆転搬送してカードリーダの挿入口２側（図３中左側方向であり、以下挿入口側と言う）に移動し、磁気ヘッド５上を通過させ、更新された新たな磁気データを書き込む。更に、カード１を逆転搬送して後端部側に移動し、再度磁気ヘッド５上を通過させ、その時にカードに記録したデータを読み取り、データの記録ミスが無いかどうかチェックする。
【００２３】
（５）本加熱開始
その後、消去ヘッド８の加熱を開始する。
【００２４】
（６）消去・印字開始
消去ヘッド８を加熱している間、消去ヘッド８に取り付けられたサーミスタによって、消去ヘッド８の温度を計測する。また、この時、カード１は消去ヘッド８よりも後端部側の位置まで搬送される。そして、設定消去温度に達した後、カード１を挿入口側の方向へ移動させ、消去ヘッド８にてカード１に既に印字されている画像を消去すると共に、カード１に所定の画像等を印字ヘッド７にて印字する。
【００２５】
（７）加熱停止
少なくとも消去動作が終了すると、消去ヘッド８への通電を停止する。
【００２６】
（８）カード排出
一連の処理が終了した後、カード１をカードリーダ装置外へ排出する。
【００２７】
これら（１）〜（８）の印字・消去の処理手順における消去ヘッド８の温度変化は、図５に示す通りである。
【００２８】
そして、消去ヘッド８に用いられる厚膜ヒータは、カード１上に形成された画像等を消去するために一定の温度を保つ必要があるため、ある程度の熱容量が必要とされる。しかし、低消費電力とするために熱容量は小さいほうが有利であるので、必要なときのみ通電して加熱するオンデマンド方式がとられる。
【００２９】
【発明が解決しようとする課題】
しかしながら、従来のカードリーダは次のような課題があった。
【００３０】
カードリーダの設置環境やカードの保持状態などによっては、カード上に形成された所定の画像等を完全に消去する事ができない場合があった。
【００３１】
また、消去ヘッドが冷却された状態から、通電して加熱する動作を開始した場合、消去ヘッド（厚膜ヒータ）を所定の温度まで加熱するのに要する時間が長くなり、カードの処理時間が長くなるという欠点もあった。
【００３２】
更に、オンデマンド方式ではなく、カードを処理しない場合を含め消去ヘッドを耐えず所定の温度に保持し続ける方法も考えられるが、消費電力が高くなると言う問題がある。加えて、上述したようにカードは多種多様であり、特に、０．６８〜０．８４ｍｍ厚のカードは、０．２０〜０．２８ｍｍの薄手のカードに比べて可撓性に劣る。このことは、カードに反り等の変形があった場合には、フレキシブルな薄手のカードに比べて、カードリーダ内で、搬送不良等の不具合を生じる可能性が高い。そのようなカードがカードリーダ内部で走行不能な状態になった場合、消去ヘッドの温度が下がるまで、メンテナンスを行えないと言う問題もあった。
【００３３】
本発明は、上記従来の課題を解決するもので、種々のカードに対応が可能であり、低消費電力で、カード処理時間が短く、メンテナンスが容易で、かつカードの消去性に優れたカードリーダを提供することを目的とする。
【００３４】
【課題を解決するための手段】
磁気記録層と書き換え可能な画像形成領域とを有するカードの搬送路と、カードを搬送路内で移動させる搬送手段と、搬送路内に存在するカードの位置を検出するカード位置検出手段と、カードに可視画像を形成する画像形成手段と、カードに形成された可視画像を消去する画像消去手段と、磁気記録層に対してデータの読み取り及び書き込みを行う磁気ライト・リード手段と、カードの磁気記録層及び画像形成領域に記録するデータを入力するためのキー入力部と、データをカードの磁気記録層及び画像形成領域に記録するために搬送手段、画像形成手段、画像消去手段及び磁気ライト・リード手段を制御する制御部と、を備え、制御部は、搬送路にカードを外部から取り込んだことを検知して、搬送手段によるカードの搬送中に、画像消去手段を画像形成領域に記録されている画像の消去に必要な第一の温度よりも低い第二の温度まで加熱させるとともに、磁気ライト・リード手段により磁気記録層に記録されている第一のデータを読み取り、キー入力部より入力された第二のデータを磁気ライト・リード手段により磁気記録層に記録した後、磁気記録層のデータの読み取りを行い、その読み取りを行った第三のデータが第二のデータと一致した場合に、画像消去手段の加熱温度を第二の温度から第一の温度へと引き上げる構成とした。
【００３５】
【発明の実施の形態】
請求項１に記載の発明は、磁気記録層と書き換え可能な画像形成領域とを有するカードの搬送路と、カードを搬送路内で移動させる搬送手段と、搬送路内に存在するカードの位置を検出するカード位置検出手段と、カードに可視画像を形成する画像形成手段と、カードに形成された可視画像を消去する画像消去手段と、磁気記録層に対してデータの読み取り及び書き込みを行う磁気ライト・リード手段と、カードの磁気記録層及び画像形成領域に記録するデータを入力するためのキー入力部と、データをカードの磁気記録層及び画像形成領域に記録するために搬送手段、画像形成手段、画像消去手段及び磁気ライト・リード手段を制御する制御部と、を備え、制御部は、搬送路にカードを外部から取り込んだことを検知して、搬送手段によるカードの搬送中に、画像消去手段を画像形成領域に記録されている画像の消去に必要な第一の温度よりも低い第二の温度まで加熱させるとともに、磁気ライト・リード手段により磁気記録層に記録されている第一のデータを読み取り、キー入力部より入力された第二のデータを磁気ライト・リード手段により磁気記録層に記録した後、磁気記録層のデータの読み取りを行い、その読み取りを行った第三のデータが第二のデータと一致した場合に、画像消去手段の加熱温度を第二の温度から第一の温度へと引き上げることを特徴とするカードリーダであって、カードを内部に取り込んでいない状態では消去ヘッドの加熱を行わないので低消費電力であり、前もって消去ヘッドを所定の温度に保つこと及び、カードに形成された可視画像を消去する直前には消去ヘッドを所定の温度に保つことができるので、品質の良い画像を形成することができる。そして、必要最小限の直近のみ通電することで、低消費電力で、カード処理時間が短く、かつメンテナンスも容易である。
【００３６】
請求項２に記載の発明は、第一のデータが不正なデータだった場合、制御部は画像消去手段への通電を停止することを特徴とするカードリーダであって、システムが異常なカードを挿入されたと判断されるときには通電を切るため、余分な電力を必要とせず低消費電力となる。
【００３７】
請求項３に記載の発明は、第一のデータが読み取れなかった場合、制御部は画像消去手段への通電を停止することを特徴とするカードリーダであって、システムが異常なカードを挿入されたと判断されるときには通電を切るため、余分な電力を必要とせず低消費電力となる。
【００３８】
請求項４に記載の発明は、カードが搬送路内で搬送不良の場合、制御部は画像消去手段への通電を停止することを特徴とするカードリーダであって、カードの搬送が異常であると判断されるときには通電を切るため、余分な電力を必要とせず低消費電力となる。また、消去ヘッドの温度も短時間で室温まで低下するので、搬送路に走行不能となって留まったカードの取り出しも短時間で可能となり、メンテナンスが容易である。
【００３９】
請求項５に記載の発明は、キー入力部による第二のデータの入力が所定の時間内に完了しない場合、制御部は画像消去手段への通電を停止することを特徴とするカードリーダであって、通常の処理時間を越えると判断されるときには通電を切るため、余分な電力を必要とせず低消費電力となる。
【００４０】
請求項６に記載の発明は、第三のデータと第二のデータとが一致しない場合、制御部は画像消去手段への通電を停止することを特徴とするカードリーダであって、システムが異常なカードを挿入されたと判断されるときには通電を切るため、余分な電力を必要とせず低消費電力となる。
【００４１】
以下、本発明の一実施の形態について説明する。
【００４２】
図１は本発明の一実施の形態による印字・消去の処理手順を示すフローチャートであり、図２は、本発明の一実施の形態によるカード処理開始から完了までの消去ヘッドの温度変化を示すグラフである。ここで、本発明のカードリーダの装置構成は、従来の技術で説明した装置構成と同様のものであり、本発明の一実施の形態においても図３を用いて説明する。
【００４３】
図１に示すように、印字・消去の処理手順（１）〜（８）は次の通りである。
【００４４】
（１）カード挿入検知
まず、挿入口２からカード１が挿入されると、制御部（図示せず）は、挿入口２の近傍に配置された発光素子１１と受光素子１２との組み合わせからなるカード位置検出手段により、カード１が挿入されたことを検知し（カード挿入検知）、タイマー動作を開始して（タイマーセット）、消去ヘッド８の予備加熱を開始する（予備加熱開始）。消去ヘッド８を加熱している間は、消去ヘッド８に取り付けられたサーミスタによって温度を計測する。
【００４５】
（２）磁気データリード
その後、カード１を搬送ローラ４で、カードリーダの後端部側へ搬送する。カード１が磁気ヘッド５の上を通過すると、カード１の磁気記録層に記録された磁気データが磁気ヘッド５で読み取られる（磁気データリード）。その間、消去ヘッド８の温度は、カード１に既に印字されている画像を消去するために必要な温度よりも５℃程度低い温度まで加熱されている。例えば、印字されている画像を消去可能な温度である設定消去温度を１５０℃とすれば、１４５℃程度の温度まで加熱される。この時、カード１の磁気記録層に記録された磁気データが不正なデータであった場合、或いは、磁気データを読み取れなかった場合（リードエラー）、更に、カード１が搬送路３内で搬送不良となった場合、異常な動作と判断して消去ヘッド８への通電を停止する（予備加熱停止）。
【００４６】
（３）キー入力待ち
読み取ったデータが正常な場合には、読み取った磁気データに応じた次の処理をカードリーダに設けられたディスプレイ部（図示せず）に表示する。この時、カードリーダはキー入力待ち状態にある。操作員は、そのディスプレイ部の表示に従い、カードリーダに設けられたキーパッド（図示せず）から新たなデータを入力する。この時、そのデータ入力が完了するまでの間も、消去ヘッド８の温度は一定の温度に保たれているが、データ入力が、正常処理と判断される所定の時間内に完了しない場合、制御部は、所定時間を測定するタイマー機能を有しており、異常な動作と判断して消去ヘッドへ８の通電を停止する（予備加熱停止）。
【００４７】
（４）磁気データライト・リード
データの入力が正常に完了した場合には、カード１を逆転搬送してカードリーダの挿入口２側に移動し、磁気ヘッド５上を通過させ、磁気ヘッド５でカード１の磁気記録層に更新された新たな磁気データを書き込む（磁気データライト）。
そして更に、カード１を逆転搬送して後端部側に移動し、再度磁気ヘッド５上を通過させ、その時にカード１に記録したデータを読み取り（磁気データリード）、データの記録ミスが無いかどうかチェックする。この時、読み取ったデータが正常でなかった場合（ライトエラー）、また、カード１が搬送路３内で搬送不良となった場合、異常な動作と判断して消去ヘッド８への通電を停止する（予備加熱停止）。
【００４８】
（５）本加熱開始
正常に磁気データが書き込まれた場合、消去ヘッド８の本加熱を開始し、消去ヘッド８の温度は、短時間で設定消去温度に達する。
【００４９】
（６）消去・印字開始
そして、カード１は消去ヘッド８よりも後端部側の位置まで搬送される。次いで、カード１を挿入口２側の方向へ移動させ、消去ヘッド８にてカード１に既に印字されている画像を消去すると共に、カード１に所定の画像等を印字ヘッド７にて印字する。
【００５０】
（７）加熱停止
少なくとも消去動作が終了すると、消去ヘッド８への通電を停止する。
【００５１】
（８）カード排出
一連の処理が終了した後、カード１をカードリーダ装置外へ排出する。
【００５２】
このように、予備加熱を行うことで、あらかじめ消去ヘッド８全体の温度を一定の温度とすることができ、カード１の変形や、環境の変化などによる消去不良の発生を低減することができる。
【００５３】
そして、図２と図５の比較から明らかなように、消去ヘッド８の加熱を他の処理と平行して行うことで消去ヘッド８の温度上昇に要する時間を削減することができ、カード１の挿入から排出までの全体の処理時間を短縮することができる。
【００５４】
なお、本実施の形態では、カード位置検出手段、例えば、発光素子１１及び受光素子１２を挿入口２近傍に設け、図３にて図示して説明しているが、その他にも、図示しないカード位置検出手段が、搬送路３内に適宜配置されているのは言うまでもない。
【００５５】
また、本実施の形態において、好ましいカードリーダの装置構成としては、消去ヘッド８に厚膜ヒータを用いる場合には、温度測定を行うサーミスタを厚膜ヒータの近傍に取り付けた厚膜ヒータを用いると好適である。また、温度測定を行うサーミスタは、厚膜ヒータの近傍、特に厚膜ヒータの裏側に配置することによって、正確な温度測定が可能となる。
【００５６】
また、カードリーダの装置構成において、印字ヘッド７、消去ヘッド８は搬送路３に対して、ソレノイド等の駆動装置によって出没自在とすることによって、カード１に印字、消去を行う場合のみカード１と接触し、磁気ヘッド５による読み取りや記録時に、カード１の搬送を阻害することがない。また、ソレノイド等の駆動装置によって、印字ヘッド７、消去ヘッド８をカード１に対して押圧し、圧着できるので、確実な印字、消去を行うことができる。
【００５７】
更に、本実施の形態では、磁気ストライプ等の磁気記録層を有するカード１を使用し、カード１からデータを読み出すかカード１にデータを記録する少なくとも一つの動作を行うデータ記録再生部として、磁気ヘッド５を用いたが、他のデータ記録再生部としては、磁気ヘッド以外に光学的にデータを記録か再生の少なくとも一方を行う光学ヘッドを用いても良く、その場合には、カード１には光記録層、光ストライプやバーコード等が設けられる。
【００５８】
また、カード１が内部にＩＣを搭載し、カード１の表面にＩＣと接続された電極を有した、いわゆる接触式のＩＣカードを用いる場合は、カードリーダにＩＣリードユニットを設ければ良い。なお、カード１が内部にＩＣと無線でデータの授受を行うことができるアンテナ（コイルやコンデンサ）を有したいわゆる非接触ＩＣカードの場合には、カードリーダのＩＣリードユニットは、コイル状のアンテナや容量を発生させる部材を設けた構成となる。
【００５９】
更に、図示はしていないが、カードリーダに、テンキーやファンクションキー、液晶表示部等の操作パネルを設け、カードリーダへの処理入力を行うことができるのは言うまでもない。
【００６０】
【発明の効果】
本発明は、カードがカードリーダー内に取り込まれた場合のみ消去ヘッドへの通電を行うことで、カードリーダーの消費電力を低くすることができ、消去品質を安定させることができる。また、カード排出までの処理時間を短縮することができる。さらに、カード上のデータが読み取れない場合、カードが搬送不良となった場合等、異常処理と判断される場合に自動的に消去ヘッドへの通電を停止する機能を付加することで、消去ヘッドの温度低下の待ち時間が減り、メンテナンスを容易に行うことができる。よって、種々のカードに対応が可能であり、低消費電力で、カード処理時間が短く、メンテナンスが容易で、かつカードの消去性に優れたカードリーダを提供することができる。
【図面の簡単な説明】
【図１】本発明の一実施の形態による印字・消去の処理手順を示すフローチャート
【図２】本発明の一実施の形態によるカード処理開始から完了までの消去ヘッドの温度変化を示すグラフ
【図３】カードリーダを示す模式側断面図
【図４】従来の印字・消去の処理手順を示すフローチャート
【図５】従来のカード処理開始から完了までの消去ヘッドの温度変化を示すグラフ
【符号の説明】
１  カード
２  挿入口
３  搬送路
４  搬送ローラ
５  磁気ヘッド
６  磁気ヘッド押圧ローラ
７  印字ヘッド
８  消去ヘッド
９，１０  プラテンローラ
１１  発光素子
１２  受光素子
【図１】
0004714984.tif 000002
【図２】
0004714984.tif 000003
【図３】
0004714984.tif 000004
【図４】
0004714984.tif 000005
【図５】
0004714984.tif 000006